(57)【要約】      （修正有）【課題】電子機器を構成する筐体に飾り用の部材を取付ける際に、その取付けた部材の厚さが目立たない構成とする。【解決手段】筐体の前面パネル１１０の所定幅にわたって装飾用帯部材１２０が配置された電子機器に適用する。装飾用帯部材１２０の下面に突条部１２４を設けた構成とする。突起部１２４は、装飾用帯部材１２０と一体に形成し、装飾用帯部材１２０の下面の前端から所定の間隔を空けて奥に引っ込んだ位置から、下側に傾斜した面１２６を有する形状とする。そして、突条部の下側に傾斜した面１２６が前面側に露出した状態で、突条部を有する装飾用帯部材１２０を、前面パネル１１０に取付けた構成とする。【選択図】図４
2008226380.tif 000002
【特許請求の範囲】
【請求項１】
筐体の前面パネルの所定幅にわたって装飾用帯部材が配置された電子機器において、
前記装飾用帯部材と一体に形成し、前記装飾用帯部材の下面の前端から所定の間隔を空けて奥に引っ込んだ位置から、下側に傾斜した面を有する突条部を設け、
前記突条部の下側に傾斜した面が前面側に露出した状態で、前記突条部を有する前記装飾用帯部材を、前記前面パネルに取付けたことを特徴とする
電子機器。
【請求項２】
請求項１記載の電子機器において、
前記突条部が取付けられた前記装飾用帯部材は、反射性を有する塗装又はメッキを施してあり、前記前面パネルの前記下側に傾斜した面と対向する面を、黒又は黒に近似した色としたことを特徴とする
電子機器。
【請求項３】
請求項１記載の電子機器において、
前記装飾用帯部材は、前記突条部を有することで、帯部材として必要な強度を保つ形状としたことを特徴とする
電子機器。
【請求項４】
請求項１記載の電子機器において、
前記装飾用帯部材の上面は、前記前面パネルから所定幅で露出する形状とし、その露出した上面に、操作スイッチを配置したことを特徴とする
電子機器。
【発明の詳細な説明】
【技術分野】
【０００１】
本発明は、例えばオーディオ機器や映像機器に適用して好適な電子機器に関し、詳しくは、電子機器の前面パネルに、シルバー色などの装飾用の帯部材が配置される形状の機器に関する。
【背景技術】
【０００２】
従来、ディクス再生装置などの各種電子機器の前面パネルなどに、合成樹脂で成型された飾り用の部材を配置して、電子機器の前面パネルを、デザイン的に優れたものにすることが多々行われている。飾り用の部材は、例えば表面にメッキ処理を施して、その部材が周囲から目立つようにすることが行われている。
【０００３】
例えば、ＤＶＤ（Digital Versatile Disk）などのディスクを再生する再生装置として構成された電子機器の場合、機器の前面パネルを上下に分割するように、前面パネルに帯状の飾り部材を配置して、その帯状の飾り部材で仕切られた下側に、ディスクを収納するディスクトレイを配置し、上側に表示パネルなどを配置するようにしたものがある。このように構成することで、ディスク再生装置としての機器が、デザイン的に優れたものとなる。
【０００４】
特許文献１には、樹脂成型品にメッキを施したエンブレムを、外装に取り付けることについての記載がある。特許文献２には、リブを有する樹脂部品を成型させる技術についての記載がある。
【特許文献１】特開２００４−２８４４３９号公報
【特許文献２】特開２００５−３１３３３０号公報
【発明の開示】
【発明が解決しようとする課題】
【０００５】
ところで、従来、樹脂成型部品で飾り帯などの飾り部材を、機器を構成する筐体に取付ける場合、その飾り部材の厚みをあまり薄くすることは困難であった。即ち、幅（厚み）が３ｍｍ程度の長尺の飾り帯を機器の前面パネルに配置することを考えた場合、厚さが３ｍｍで十分な強度を持たせるためには、帯の背面側に補強リブなどの何らかの対処をする形状としないと、機器の前面パネルとして十分な強度が得られない問題がある。前面パネルなどに見える状態で配置する場合には、背面側に補強リブなどを設ける形状とすることは困難である場合が多い。
【０００６】
従って、幅の細い飾り帯の如き装飾部品を前面パネルなどの筐体に配置する場合には、その飾り帯自身が強度上必要な最低限の幅として、飾り帯の見栄えを犠牲にして、ある程度幅を厚く形成させる必要があった。或いは、薄くても強度が得られる高価な材質の部材を使用することも可能であるが、オーディオ機器や映像機器などの電子機器の前面パネルを飾る部品に、あまり高価な部材を必要とするのは、機器の製造コストを上昇させるために好ましくない。
【０００７】
また、飾り帯の如き装飾部品の背面側に補強リブを設ける構成をした場合にも問題があった。即ち、装飾部品の背面側に補強リブを設けると、その装飾部品の表面側にヒケと称される歪みが生じる可能性が高く、機器の前面パネルに配置する部品として、あまり好ましくない形状のものになってします。特許文献２には、樹脂部品に補強リブを設けることでヒケが生じる問題についての記載がある。
【０００８】
本発明は、このような事情に鑑みなされたもので、電子機器を構成する筐体に飾り用の部材を取付ける際に、その取付けた部材の厚さが目立たないとともに、ヒケなどの問題のない優れた形状の構成を提供することを目的とする。
【課題を解決するための手段】
【０００９】
本発明の電子機器は、筐体の前面パネルの所定幅にわたって装飾用帯部材が配置された電子機器に適用する。装飾用帯部材の下面には、突条部を設けた構成とする。突起部は、装飾用帯部材と一体に形成し、装飾用帯部材の下面の前端から所定の間隔を空けて奥に引っ込んだ位置から、下側に傾斜した面を有する形状とする。そして、突条部の下側に傾斜した面が前面側に露出した状態で、突条部を有する装飾用帯部材を、前面パネルに取付けた構成とする。
【００１０】
このようにしたことで、装飾用帯部材の下側の突条部が、装飾用帯部材の補強部材として機能し、前面側に露出している装飾用帯部材の幅を薄くすることが可能となる。この場合、例えば装飾用帯部材の表面をメッキ処理して鏡面状に周囲を反射する構成とし、その装飾用帯部材の下側の面と対向する前面パネル側を黒色に近い色とすることで、装飾用帯部材の下側の突条部の傾斜したメッキ処理面に、下側の黒色面が映った状態となる。従って、装飾用帯部材全体をメッキ加工しても、下側の突条部は黒く沈んだ状態に見え、あたかも突条部がない装飾用帯として見えるようになり、装飾用帯部材を薄い形状に見せた状態で、前面パネルに配置することが可能になる。
【発明の効果】
【００１１】
本発明によれば、装飾用帯部材の厚さが目立たない状態で、前面パネルに配置することが可能になり、その装飾用帯部材を前面パネルに配置した電子機器のデザイン性を向上させることが可能となる。この場合、装飾用帯部材の下側の突条部は、装飾用帯部材と一体に樹脂成型させればよく、本発明の構成とするために製造コストなどを上昇させることがなく、低コストでデザイン性を向上させることが可能となる。また、背面側に補強リブを必要としない構成であるため、補強リブを形成させるような場合と異なり、ヒケの発生がない、表面の平滑性に優れた装飾用帯部材を配置できるようになる。
【発明を実施するための最良の形態】
【００１２】
以下、本発明の一実施の形態の例を、添付図面を参照して説明する。
本実施の形態の例においては、ＤＶＤなどのビデオディスク、或いはオーディオ信号が記録された光ディスクなどを再生するディスク再生装置（或いはディスク記録再生装置）として構成された、映像機器又はオーディオ機器としての電子機器に適用した例としてある。
【００１３】
図１は本例のディスク再生装置の全体構成例を示す図であり、図２は本例のディスク再生装置の前面パネル部を分解して示す図であり、図３はディスク再生装置を前面側から見た平面図である。図４はディスク再生装置の前面部を側面から拡大して示す図である。図５は、本例のディスク再生装置の前面パネル部に取付けられる装飾用帯部材を斜め下から示す斜視図である。さらに図６（ａ）は、その装飾用帯部材の要部を断面で示す図である。なお、図６（ｂ）は一実施の形態の例と比較するために示した従来構成例である。
【００１４】
まず、図１を参照して本例のディスク再生装置の全体構成について説明すると、ディスク再生装置１００は、箱型の筐体内に構成してある。筐体の前面には、樹脂成型で構成させた前面パネル部１１０を取り付けてある。前面パネル部１１０は、横幅が４３ｃｍ程度の比較的大型のパネル部である。そして、その前面パネル１１０を上下に２分割させるように、装飾用帯部材１２０を左端から右端まで連続させて水平に配置してある。装飾用帯部材１２０は、上面１２０ａが平面状に露出した形状としてあり、その露出した上面１２０ａに、複数の操作ボタン１０２が配置してある。また、装飾用帯部材１２０の右端には、回転つまみ１３０が取付けてある。
【００１５】
装飾用帯部材１２０で上下に２分割された前面パネル部１１０の下側の面の左端には、ディスクトレイ１０１が配置してある。このディスクトレイ１０１は、ディスクの装着時には手前に引き出される構成としてある。前面パネル部１１０の上側の面の中央には、表示窓１１１が配置してある。表示窓１１１には、例えば蛍光表示管や液晶表示パネルなどの表示手段が配置してあり、文字，数字，図形などを表示させて、ディスクの再生状態などの動作状態を表示する構成としてある。表示窓１１１の周囲には、操作スイッチや赤外線信号の受光窓などの他の部材を配置するようにしてもよい。
【００１６】
前面パネル部１１０を上下に２分割する装飾用帯部材１２０は、樹脂部材にメッキ処理を施してあり、表面が鏡面になったシルバー色としてある。但し、ここでの鏡面とは完全な鏡面ではなく、ある程度周囲が反射する程度の意味での鏡面である。その他の前面パネル部１１０は、黒色或いは黒系の色としてある。表示窓１１１及びその周囲には、透明又は半透明の樹脂板が配置してある。
【００１７】
図２は、前面パネル部１１０を分解して示す図である。図２に示すように、装飾用帯部材１２０は、前面パネル部１１０を構成する樹脂部材とは別の樹脂成型品として構成させてある。図２に示すように、厚さの薄い板状の装飾用帯部材１２０は、前面パネル部１１０の水平面１１２に載せるようにして、配置される。前面パネル部１１０の水平面１１２には、複数の操作ボタン１０２が配置してあり、装飾用帯部材１２０側には、ボタン用孔１２１が、その操作ボタン１０２の配置位置に対応した位置に設けてあり、図１に示すように組み立てられた状態で、操作ボタン１０２が装飾用帯部材１２０のボタン用孔１２１から突出して、ボタンの操作が可能となっている。
【００１８】
前面パネル部１１０の水平面１１２の左右の端部は、挟み込み部１１４，１１５として構成させてあり、組み立て時に、装飾用帯部材１２０の左右の端部を挟みこんで保持する構成としてある。また、図２に示すように、装飾用帯部材１２０の左右の端部は、ディスク再生装置１００の奥側に長く延長された差込み部１２３，１２４として構成してあり、組み立て時に、前面パネル部１１０の挟み込み部１１４，１１５の内部に、差込み部１２３，１２４が差し込まれる。
【００１９】
装飾用帯部材１２０の右端寄りには、円形の筒状に膨らんだ形状のつまみ取付け部１２２が形成させてある。このつまみ取付け部１２２は、ディスク再生装置１００の組み立て時に、前面パネル部１１０のつまみ取付け孔１１３の前面側に位置し、つまみ取付け部１２２に嵌められた回転つまみ１３０が、つまみ取付け孔１１３側に配置された回転スイッチ機構（ロータリーエンコーダなど）と接続されて、各種回転操作が可能な構成としてある。
【００２０】
図３は、装飾用帯部材１２０などが取り付けられて、ディスク再生装置１００として組み立てられた状態を正面から示した図である。装飾用帯部材１２０は、厚さ数ミリで再生装置１００の左端から右端まで連続して配置された状態である。装飾用帯部材１２０の下側には、突条部１２６がほぼ連続して配置してある。この突条部１２６は、装飾用帯部材１２０と一体に樹脂成型してあり、メッキ処理も装飾用帯部材１２０本体に対して施す際に同時に施してある。但し、図３に示すように、ディスクトレイ１０１の上に位置する箇所だけは、突条部１２６を設けていない。この突条部１２６を設けていない箇所を、突条未配置部１２６ａと称する（図５参照）。突条未配置部１２６ａは、直径１２ｃｍ程度のディスクを収納するディスクトレイ１０１の幅に対応した長さであるので、１３ｃｍ程度の長さである。
【００２１】
装飾用帯部材１２０に突条部１２６を設けた状態の詳細を、図４、図５、図６を参照して説明する。装飾用帯部材１２０の下側の面を示した図５に示すように、突条部１２６は、装飾用帯部材１２０の前面側の縁部１２５の下面に連続して配置してある。但し、円形に突起したつまみ取付け部１２２と、組み立て時にディスクトレイ１０１が位置する突条未配置部１２６ａには、突条部１２６は設けてない。
【００２２】
突条部１２６の詳細形状としては、図６（ａ）に断面で示すように、装飾用帯部材１２０の前面側の縁部１２５から０．８ｍｍ程度のわずかな段差部１２７を設けて、その段差部１２７の長さだけ手前から奥に引っ込んだ位置に、突条部１２６を設けてある。突条部１２６の突起高さについては、１ｍｍ程度の高さである。突条部１２６の表面１２６ｂについては、下になるに従って奥に後退した傾斜面となるようにしてある。表面１２６ｂの傾斜角度としては、ここでは約４５°となるようにしてある。この傾斜した表面１２６ｂについても、装飾用帯部材１２０全体をメッキ加工又は塗装する際にシルバー色としてある。
【００２３】
なお、図６（ａ）に示すように、装飾用帯部材１２０全体（即ち突条部１２６を含めた）幅Ｗ１は、装飾用帯部材１２０として必要な強度が得られる最低限の幅としてある。例えば幅Ｗ１として４ｍｍとしてある。突条部１２６を除いた装飾用帯部材１２０の幅Ｗ２については、例えば３ｍｍとして、突条部１２６がない場合には、それ自身では強度的を保つのが困難な程度に薄型化してある。但し、ここでの強度とは、図５に示したような長さが４３ｃｍ程度の長さの場合に必要な強度である。本例の場合には、図５に示したように、部分的に突条未配置部１２６ａを設けてあるが、その突条未配置部１２６ａは部分的であるので、装飾用帯部材１２０全体として必要な強度には、それほど影響がない。ここでの強度とは、例えば装飾用帯部材１２０の上面（操作ボタン１０２が配置された面）が強い力で押された場合でも、装飾用帯部材１２０が割れる可能性のない程度の強度である。また、突条未配置部１２６ａは、操作ボタン１０２が配置された箇所から離れた箇所としてあるので、この突条未配置部１２６ａの上側の装飾用帯部材１２０の上面１２０ａは、ボタンなどの操作時にユーザに押される可能性が低く、この点からもこの突条未配置部１２６ａが、他の箇所より若干強度が弱くても、実用上問題がない。
【００２４】
このように構成した本例のディスク再生装置によると、前面パネル部１１０に配置した装飾用帯部材１２０がシルバー色であり、前面パネル部１１０のデザインを優れたものにする効果を有する。ユーザが前面パネル部１１０を前側から見た場合には、装飾用帯部材１２０の縁部１２５だけが見えた状態であり、装飾用帯部材１２０が薄板状に見えるだけであり、シルバー色の薄い帯が配置された状態となっている。
即ち、装飾用帯部材１２０の下面の突条部１２６についても、図６（ａ）に示すように、表面１２６ｂが外側に露出しているため、ユーザが前面パネル部１１０を前側から見た場合には、表面１２６ｂが見えているが、実際には表面１２６ｂは目立たない状態である。
【００２５】
この点について図６を参照して説明すると、ユーザが前面パネル部１１０の装飾用帯部材１２０を前側から見た場合、図６（ａ）に矢印Ｅで示す方向で覗くことになる。ここで、装飾用帯部材１２０の突条部１２６の表面１２６ｂは、ほぼ４５°の角度の傾斜面としてあることで、ミラー状の表面１２６ｂには、前面パネル部１１０の黒色の水平面１１２が映ることになる。従って、シルバー色の突条部１２６の表面１２６ｂは、黒い面が映って黒色に見え、前面パネル部１１０を前側から見たユーザにとっては、装飾用帯部材１２０の縁部１２５だけがシルバー色に見えるようになる。ここでは水平面１１２を黒色としたが、黒系の色（即ち明るくない色）であれば、同様な効果が得られる。
【００２６】
このように見えることで、装飾用帯部材１２０の強度を保つために突条部１２６を設けた形状として、図６（ａ）に示すように全体の幅Ｗ１をある程度の幅（例えば４ｍｍ）としたのに、実際にユーザに見える装飾用帯部材１２０は、突条部１２６を覗いた幅Ｗ２（例えば３ｍｍ）であり、薄型のシルバー色の帯が見える状態であり、非常にデザイン的に優れたものになる。
【００２７】
ここで比較のために、図６（ｂ）に、従来構成で同じ装飾用帯部材を構成させた例を示すと、本例の如き突条部１２６を設けない装飾用帯部材１０の場合には、強度を保つために縁部１１の幅Ｗａを、ある程度の幅（例えば４ｍｍ）とする必要があり、その幅Ｗａそのものが外から見える装飾用帯の幅になってしまう。これに対して本例の場合には、同じ強度を保ったまま薄型化が行え、前面パネルのデザインを優れたものにすることができる。
【００２８】
また本例の場合には、突条部１２６があるために、装飾用帯部材の裏面などに補強リブを設ける必要がなく、装飾用帯部材１２０の上面１２０ａにヒケなどの歪みが発生しない平滑形状とすることができ、この点からもデザイン的に優れたものにすることができる。
【００２９】
なお、上述した実施の形態で各図を参照して説明したディスク再生装置の前面パネル構成は一例を示したものであり、図示した具体的な構成に限定されるものではなく、前面パネル部に同様の装飾用部材を配置した各種形状のものに本発明が適用可能である。例えば、図１の構成例では、ディスクトレイが左端にある形状のディスク再生装置に適用した例としたが、ディスクトレイが前面パネルの中央に配置された形状のディスク再生装置又はディスク記録再生装置に適用してもよい。この場合には、装飾用帯部材１２０の突条未配置部１２６ａ（図５参照）の位置についても、そのディスクトレイの位置に対応して変更する必要がある。
【００３０】
あるいは、図５に示した装飾用帯部材１２０の突条未配置部１２６ａを設ける必要がない前面パネル部の形状である場合には、装飾用帯部材１２０の左端から右端まで、突条部１２６を連続して形成させる構成としてもよい。このように連続して配置することで、より装飾用帯部材の強度が向上する。
【００３１】
また、上述した実施の形態では、装飾用帯部材１２０は、メッキ処理にてシルバー色としたが、塗装などで同様の色としてもよい。周囲の色をある程度反射する色であれば、シルバー色以外の色としてもよい。装飾用帯部材１２０の各部のサイズについても、上述した値は一例であり、その他のサイズとしてもよい。
【００３２】
また、上述した実施の形態では、装飾用帯部材１２０は、前面パネル部１１０の横幅全体にわたって配置する構成としたが、横幅全体ではなく、一部にだけ同様の構成の装飾用帯部材を配置するようにしてもよい。また、前面パネル部の縦方向の一部又は全部に、装飾用帯部材を配置するようにしてもよい。
【００３３】
また、上述した図１などに示した構成では、装飾用帯部材１２０の上面の平面部を露出させた上で、その露出した上面部に操作ボタン１０２を配置する構成としたが、このような上面部を外側に露出させない構成としてもよい。即ち、装飾用帯部材１２０は、縁部１２５と突条部１２６の表面１２６ｂだけを外側に露出させて、その他の部分は前面パネル部で隠される構成としてもよい。
【００３４】
さらに、上述した実施の形態では、ディスク再生装置（又はディスク記録再生装置）の前面パネルに適用した例としたが、オーディオ機器や映像機器以外の各種電子機器が備える前面パネルに配置した装飾部材を構成させる場合にも、本発明は適用可能であることは勿論である。例えば、ビデオゲーム機器、パーソナルコンピュータ装置などの前面パネルをデザイン的に優れたものにする必要がある各種電子機器に適用可能である。
【図面の簡単な説明】
【００３５】
【図１】本発明の一実施の形態のディスク再生装置の外観形状の一例を示す斜視図である。
【図２】一実施の形態のディスク再生装置の前面パネル近傍を分解して示す分解斜視図である。
【図３】一実施の形態のディスク再生装置の正面を示す平面図である。
【図４】一実施の形態のディスク再生装置の前面パネル近傍を拡大して示す側面図である。
【図５】一実施の形態のディスク再生装置に取付けられる装飾用帯部材を斜め下方から見た斜視図である。
【図６】（ａ）は図１例の機器に取付けられる装飾用帯部材の断面図であり、（ｂ）は従来例を比較のために示した断面図である。
【符号の説明】
【００３６】
１００…ディスク再生装置、１０１…ディスクトレイ、１０２…操作ボタン、１１０…前面パネル部、１１１…表示窓、１１２…前面パネルの水平面、１１３…つまみ取付け孔、１１４，１１５…挟み込み部、１２０…装飾用帯部材、１２０ａ…上面、１２１…ボタン用孔、１２２…つまみ取付け部、１２３，１２４…差込み部、１２５…縁部、１２６…突条部、１２６ａ…突条未配置部、１２６ｂ…表面（傾斜面）、１２７…段差部、１３０…回転つまみ
【図１】
2008226380.tif 000003
【図２】
2008226380.tif 000004
【図３】
2008226380.tif 000005
【図４】
2008226380.tif 000006
【図５】
2008226380.tif 000007
【図６】
2008226380.tif 000008